(57)【特許請求の範囲】
【請求項１】
計量対象の使用量に応じて接点信号を送信するメータのスイッチの接点状態として「ＯＮ」および「ＯＦＦ」のいずれかを記憶する接点状態記憶用メモリと、
カウント値を記憶するカウント値記憶用メモリと、
前記メータからの前記接点信号の受信の有無によって、前記接点状態記憶用メモリに記憶する前記接点状態を前記「ＯＮ」および前記「ＯＦＦ」のいずれかにする受信部と、
前記接点状態記憶用メモリに記憶されている前記接点状態が前記「ＯＦＦ」から「ＯＮ」へ変化した場合において、前記カウント値記憶用メモリに記憶されている前記カウント値に対してカウントアップを実行し、前記カウントアップ後の前記カウント値を前記カウント値記憶用メモリに新たに記憶するカウント部と、
を備え、
前記メータからの前記接点信号の送信が継続される状況において、前記受信部は、
装置電源がリセットされた場合、前記接点状態記憶用メモリに記憶する前記接点状態を、一度、前記「ＯＦＦ」にした後、前記メータからの前記接点信号の受信を反映して、前記接点状態記憶用メモリに記憶する前記接点状態を前記「ＯＮ」にする
計量装置であって、
前記接点状態として前記「ＯＮ」および前記「ＯＦＦ」のいずれかを記憶する補助メモリをさらに備え、
前記カウント部は、
前記接点状態記憶用メモリに記憶されている前記接点状態が前記「ＯＦＦ」から前記「ＯＮ」へ変化した場合には、前記補助メモリに記憶する前記接点状態を前記「ＯＮ」にし、前記接点状態記憶用メモリに記憶されている前記接点状態が前記「ＯＮ」から前記「ＯＦＦ」へ変化した場合には、前記補助メモリに記憶する前記接点状態を前記「ＯＦＦ」にし、
前記接点状態記憶用メモリに記憶されている前記接点状態が前記「ＯＦＦ」から「ＯＮ」へ変化した場合において、前記補助メモリに記憶されている前記接点状態が前記「ＯＦＦ」であるときに限り、前記カウントアップを実行し、
前記接点状態記憶用メモリに記憶されている前記接点状態が前記「ＯＦＦ」から「ＯＮ」へ変化した場合であっても、前記補助メモリに記憶されている前記接点状態が前記「ＯＮ」であれば、前記カウントアップを実行しない
計量装置。
【発明の詳細な説明】
【技術分野】
【０００１】
本発明は、ガス、水道等の計量対象の使用量を計測するメータのメータ値を、メータが設置されている現場に行かなくても遠隔から取得可能な計量装置に関するものである。
【背景技術】
【０００２】
従来において、ガス、水道等の計量対象の使用量を計測するメータのメータ値を、メータが設置されている現場に行かなくても遠隔から取得可能な計量装置として、さまざまなものが提案されている（例えば、特許文献１参照）。また、このような計量装置の一例として、計量対象の使用量を計測するメータから送信されるパルスの数をカウントすることで、計量対象の使用量を概算可能な計量装置がある。
【先行技術文献】
【特許文献】
【０００３】
【特許文献１】特開昭６０−１０４２６７号公報
【発明の概要】
【発明が解決しようとする課題】
【０００４】
ここで、本発明における計量装置と、従来技術を適用した計量装置との相違点を明確にするために、従来技術を適用した計量装置について、図３および図４を参照しながら説明する。
【０００５】
図３は、従来技術を適用した計量装置２０を備えた計量システムを示す構成図である。図３における計量システムは、ガス、水道等の計量対象の使用量を計測するメータ１０と、メータ１０から送信されるパルスの数をカウントする計量装置２０とを備える。
【０００６】
メータ１０は、計量対象の使用量を計測するメータ本体１１と、リードスイッチ等によって構成され、メータ本体１１によってＯＮおよびＯＦＦに切り替えられるスイッチ１２とを有する。
【０００７】
メータ本体１１は、計量対象が流れることで回転する回転体およびその回転体に取り付けられた磁石を含み、計量対象が一定量流れるたびにスイッチ１２をＯＮにして接点信号としてのパルスを送信するように構成されている。スイッチ１２の接点状態がＯＮである場合には、メータ１０から接点信号が送信され、スイッチ１２の接点状態がＯＦＦである場合には、メータ１０から接点信号が送信されない。
【０００８】
計量装置２０は、例えば、メモリに記憶されたプログラムを実行するＣＰＵと、システムＬＳＩ等の処理回路によって実現される。また、計量装置２０は、メータ１０から送信される接点信号を受信する受信部２１と、カウントアップを実行するカウント部２２と、メータ１０のスイッチ１２の接点状態を記憶する接点状態記憶用メモリ２３と、カウント部２２によるカウントアップ後のカウント値を記憶するカウント値記憶用メモリ２４とを有する。
【０００９】
接点状態記憶用メモリ２３は、計量対象の使用量に応じて接点信号を送信するメータ１０のスイッチ１２の接点状態として「ＯＮ」および「ＯＦＦ」のいずれかを記憶する。
【００１０】
受信部２１は、メータ１０から接点信号を受信している間は、接点状態記憶用メモリ２３に記憶する接点状態を「ＯＮ」にし、メータ１０から接点信号が受信していない間は、接点状態記憶用メモリ２３に記憶する接点状態を「ＯＦＦ」にする。
【００１１】
このように、受信部２１は、メータ１０からの接点信号の受信の有無によって、接点状態記憶用メモリ２３に記憶する接点状態を「ＯＮ」および「ＯＦＦ」のいずれかにする。
【００１２】
また、受信部２１は、計量装置２０の装置電源がリセットされた場合には、仕様上、接点状態記憶用メモリ２３に記憶する接点状態を、一度、「ＯＦＦ」にした後、メータ１０からの接点信号の受信の有無によって、接点状態記憶用メモリ２３に記憶する接点状態を更新するように構成されている。
【００１３】
カウント部２２は、接点状態記憶用メモリ２３を読み込み、接点状態記憶用メモリ２３に記憶されている接点状態の変化をモニタリングする。そして、カウント部２２は、接点状態記憶用メモリ２３に記憶されている接点状態が「ＯＦＦ」から「ＯＮ」へ変化した場合、カウント値記憶用メモリ２４に記憶されている現在のカウント値を読み込み、そのカウント値からカウントアップを実行し、カウントアップ後の最新のカウント値を、カウント値記憶用メモリ２４に記憶する。
【００１４】
このように、カウント部２２は、接点状態記憶用メモリ２３に記憶されている接点状態が「ＯＦＦ」から「ＯＮ」へ変化した場合において、カウント値記憶用メモリ２４に記憶されているカウント値に対してカウントアップを実行し、カウントアップ後のカウント値をカウント値記憶用メモリ２４に新たに記憶して更新する。
【００１５】
ここで、カウント値記憶用メモリ２４に記憶されているカウント値を表示装置（図示せず）によって表示されるように構成しているので、そのカウント値を確認することができ、そのカウント値から、メータ１０が設置されている現場に行かなくても、計量対象の使用量を把握することが可能となる。
【００１６】
次に、従来技術を適用した計量装置２０がカウントアップを実行する動作について、図４を参照しながら説明する。図４は、図３の計量装置２０がカウントアップを実行する動作を説明するための説明図である。
【００１７】
図４に示すように、受信部２１は、スイッチ１２の接点状態がＯＦＦからＯＮへ切り替わることでメータ１０から接点信号を受信すれば、接点状態記憶用メモリ２３に記憶する接点状態を「ＯＦＦ」から「ＯＮ」に書き換える。また、接点状態記憶用メモリ２３に記憶されている接点状態が「ＯＦＦ」から「ＯＮ」へ変化するので、カウント部２２は、＋１のカウントアップを実行し、そのカウントアップ後のカウント値をカウント値記憶用メモリ２４に記憶する。
【００１８】
ここで、スイッチ１２の接点状態がＯＮの場合において、計量対象の使用が停止となり、計量対象がメータ本体１１を流れなくなると、構成上、図示するように、スイッチ１２がＯＮのままとなり、その結果、メータ１０からの接点信号の送信が継続される。
【００１９】
上記のような状況において、装置電源がリセットされると、受信部２１は、接点状態記憶用メモリ２３に記憶する接点状態を、一度、「ＯＦＦ」にした後、メータ１０からの接点信号の受信を反映して、接点状態記憶用メモリ２３に記憶する接点状態を、「ＯＮ」にする。
【００２０】
一方、装置電源がリセットされ、受信部２１は、接点状態記憶用メモリ２３に記憶する接点状態を、一度、「ＯＦＦ」にしても、メータ１０から接点信号を受信しなければ、接点状態記憶用メモリ２３に記憶する接点状態を、「ＯＦＦ」のままにしておく。
【００２１】
このように、受信部２１は、装置電源がリセットされた場合、接点状態記憶用メモリ２３に記憶する接点状態を、一度、「ＯＦＦ」にした後、メータ１０からの接点信号の受信の有無によって、接点状態記憶用メモリ２３に記憶する接点状態を更新する。
【００２２】
受信部２１がこのような動作をする場合、カウント部２２は、接点状態記憶用メモリ２３に記憶されている接点状態が「ＯＦＦ」から「ＯＮ」へ変化したと認識し、カウントアップを実行してしまう。
【００２３】
つまり、本来、カウントアップが実行されてはいけないにも関わらず、装置電源がリセットされたことによって、カウントアップが実行されてしまい、その結果、誤ったカウント値がカウント値記憶用メモリ２４に記憶される。
【００２４】
この場合、誤ったカウント値に基づいて計量対象の使用量が算出されるので、計量対象の正しい使用量を認識することができず、さらには、計量対象の使用量に応じて料金を請求しているような場合には、誤請求が発生してしまう。
【００２５】
このように、従来技術を適用した計量装置では、メータからの接点信号の送信が継続されるような状況において、装置電源がリセットされると、カウントアップが誤って実行されてしまうので、使い勝手が悪いという問題がある。
【００２６】
そこで、本発明における計量装置では、構成を工夫することで、メータからの接点信号の送信が継続されるような状況において、装置電源がリセットされても、カウントアップが実行されないようにして、使い勝手の改善を図っている。
【００２７】
本発明は、上記のような課題を解決するためになされたものであり、メータからの接点信号の送信が継続されるような状況において、装置電源がリセットされても、カウントアップが実行されないので、使い勝手の改善を図ることができる計量装置を得ることを目的とする。
【課題を解決するための手段】
【００２８】
本発明における計量装置は、計量対象の使用量に応じて接点信号を送信するメータのスイッチの接点状態として「ＯＮ」および「ＯＦＦ」のいずれかを記憶する接点状態記憶用メモリと、カウント値を記憶するカウント値記憶用メモリと、メータからの接点信号の受信の有無によって、接点状態記憶用メモリに記憶する接点状態を「ＯＮ」および「ＯＦＦ」のいずれかにする受信部と、接点状態記憶用メモリに記憶されている接点状態が「ＯＦＦ」から「ＯＮ」へ変化した場合において、カウント値記憶用メモリに記憶されているカウント値に対してカウントアップを実行し、カウントアップ後のカウント値をカウント値記憶用メモリに新たに記憶するカウント部と、を備え、メータからの接点信号の送信が継続される状況において、受信部は、装置電源がリセットされた場合、接点状態記憶用メモリに記憶する接点状態を、一度、「ＯＦＦ」にした後、メータからの接点信号の受信を反映して、接点状態記憶用メモリに記憶する接点状態を「ＯＮ」にする計量装置であって、接点状態として「ＯＮ」および「ＯＦＦ」のいずれかを記憶する補助メモリをさらに備え、カウント部は、接点状態記憶用メモリに記憶されている接点状態が「ＯＦＦ」から「ＯＮ」へ変化した場合には、補助メモリに記憶する接点状態を「ＯＮ」にし、接点状態記憶用メモリに記憶されている接点状態が「ＯＮ」から「ＯＦＦ」へ変化した場合には、補助メモリに記憶する接点状態を「ＯＦＦ」にし、接点状態記憶用メモリに記憶されている接点状態が「ＯＦＦ」から「ＯＮ」へ変化した場合において、補助メモリに記憶されている接点状態が「ＯＦＦ」であるときに限り、カウントアップを実行し、接点状態記憶用メモリに記憶されている接点状態が「ＯＦＦ」から「ＯＮ」へ変化した場合であっても、補助メモリに記憶されている接点状態が「ＯＮ」であれば、カウントアップを実行しないものである。
【発明の効果】
【００２９】
本発明によれば、メータからの接点信号の送信が継続されるような状況において、装置電源がリセットされても、カウントアップが実行されないので、使い勝手の改善を図ることができる計量装置を得ることができる。
【図面の簡単な説明】
【００３０】
【図１】本発明の実施の形態１における計量装置を備えた計量システムを示す構成図である。
【図２】図１の計量装置がカウントアップを実行する動作を説明するための説明図である。
【図３】従来技術を適用した計量装置を備えた計量システムを示す構成図である。
【図４】図３の計量装置がカウントアップを実行する動作を説明するための説明図である。
【発明を実施するための形態】
【００３１】
以下、本発明による計量装置を、好適な実施の形態にしたがって図面を用いて説明する。なお、図面の説明においては、同一部分または相当部分には同一符号を付し、重複する説明を省略する。
【００３２】
実施の形態１．
次に、本実施の形態１における計量装置２０について、図１および図２を参照しながら説明する。なお、本実施の形態１では、上述した従来技術を適用した計量装置と同様である点の説明を省略し、従来技術を適用した計量装置と異なる点を中心に説明する。
【００３３】
図１は、本発明の実施の形態１における計量装置２０を備えた計量システムを示す構成図である。図１における計量システムは、メータ本体１１およびスイッチ１２を有するメータ１０と、受信部２１、カウント部２２、接点状態記憶用メモリ２３およびカウント値記憶用メモリ２４に加え、メータ１０のスイッチ１２の接点状態を記憶する補助メモリ２５をさらに有する計量装置２０とを備える。
【００３４】
補助メモリ２５は、メータ１０のスイッチ１２の接点状態として「ＯＮ」および「ＯＦＦ」のいずれかを記憶する。
【００３５】
カウント部２２は、接点状態記憶用メモリ２３を読み込み、接点状態記憶用メモリ２３に記憶されている接点状態の変化をモニタリングする。
【００３６】
カウント部２２は、接点状態記憶用メモリ２３に記憶されている接点状態が「ＯＦＦ」から「ＯＮ」へ変化した場合、補助メモリ２５に記憶する接点状態を「ＯＮ」にする。
【００３７】
すなわち、カウント部２２は、接点状態記憶用メモリ２３に記憶されている接点状態が「ＯＦＦ」から「ＯＮ」へ変化した場合、補助メモリ２５に記憶されている接点状態が「ＯＦＦ」であれば、その接点状態を「ＯＮ」に書き換える一方、補助メモリ２５に記憶されている接点状態が「ＯＮ」であれば、その接点状態を「ＯＮ」のままにしておく。
【００３８】
また、カウント部２２は、接点状態記憶用メモリ２３に記憶されている接点状態が「ＯＮ」から「ＯＦＦ」へ変化した場合、補助メモリ２５に記憶する接点状態を「ＯＦＦ」にする。
【００３９】
すなわち、カウント部２２は、接点状態記憶用メモリ２３に記憶されている接点状態が「ＯＮ」から「ＯＦＦ」へ変化した場合、補助メモリ２５に記憶されている接点状態が「ＯＮ」であれば、その接点状態を「ＯＦＦ」に書き換える一方、補助メモリ２５に記憶されている接点状態が「ＯＦＦ」であれば、その接点状態を「ＯＦＦ」のままにしておく。
【００４０】
カウント部２２は、接点状態記憶用メモリ２３に記憶されている接点状態が「ＯＦＦ」から「ＯＮ」へ変化した場合、補助メモリ２５に記憶されている接点状態が「ＯＦＦ」であれば、カウントアップを実行する。
【００４１】
一方、カウント部２２は、接点状態記憶用メモリ２３に記憶されている接点状態が「ＯＦＦ」から「ＯＮ」へ変化した場合であっても、補助メモリ２５に記憶されている接点状態が「ＯＮ」であれば、カウントアップを実行しない。
【００４２】
このように、カウント部２２は、接点状態記憶用メモリ２３に記憶されている接点状態が「ＯＦＦ」から「ＯＮ」へ変化した場合において、補助メモリ２５に記憶されている接点状態が「ＯＦＦ」であるときに限り、カウントアップを実行する。
【００４３】
次に、本実施の形態１における計量装置２０がカウントアップを実行する動作について、図２を参照しながら説明する。図２は、図１の計量装置２０がカウントアップを実行する動作を説明するための説明図である。
【００４４】
図２に示すように、時刻ｔ１において、受信部２１は、スイッチ１２の接点状態がＯＦＦからＯＮへ切り替わることでメータ１０から接点信号を受信したので、接点状態記憶用メモリ２３に記憶する接点状態を「ＯＦＦ」から「ＯＮ」に書き換える。
【００４５】
時刻ｔ１において、カウント部２２は、接点状態記憶用メモリ２３に記憶されている接点状態が「ＯＦＦ」から「ＯＮ」へ変化し、かつ補助メモリ２５に記憶されている接点状態が「ＯＦＦ」であるので、カウントアップを実行する。
【００４６】
また、カウント部２２は、時刻ｔ１において、接点状態記憶用メモリ２３に記憶されている接点状態が「ＯＦＦ」から「ＯＮ」へ変化したので、時刻ｔ１よりも後の時刻において、補助メモリ２５に記憶する接点状態を「ＯＮ」にする。
【００４７】
時刻ｔ２において、受信部２１は、スイッチ１２の接点状態がＯＦＦからＯＮへ切り替わることでメータ１０から接点信号を受信しなくなったので、接点状態記憶用メモリ２３に記憶する接点状態を「ＯＮ」から「ＯＦＦ」に書き換える。
【００４８】
カウント部２２は、時刻ｔ２において、接点状態記憶用メモリ２３に記憶されている接点状態が「ＯＮ」から「ＯＦＦ」へ変化したので、時刻ｔ２よりも後の時刻において、補助メモリ２５に記憶する接点状態を「ＯＦＦ」にする。
【００４９】
時刻ｔ３において、受信部２１は、スイッチ１２の接点状態がＯＦＦからＯＮへ切り替わることでメータ１０から接点信号を受信したので、接点状態記憶用メモリ２３に記憶する接点状態を「ＯＦＦ」から「ＯＮ」に書き換える。
【００５０】
時刻ｔ３において、カウント部２２は、接点状態記憶用メモリ２３に記憶されている接点状態が「ＯＦＦ」から「ＯＮ」へ変化し、かつ補助メモリ２５に記憶されている接点状態が「ＯＦＦ」であるので、カウントアップを実行する。
【００５１】
また、カウント部２２は、時刻ｔ３において、接点状態記憶用メモリ２３に記憶されている接点状態が「ＯＦＦ」から「ＯＮ」へ変化したので、時刻ｔ３よりも後の時刻において、補助メモリ２５に記憶する接点状態を「ＯＮ」にする。
【００５２】
ここで、時刻ｔ３以降、先の図４と同様に、スイッチ１２の接点状態がＯＮの場合において、計量対象の使用が停止となり、計量対象がメータ本体１１を流れなくなると、構成上、図示するように、スイッチ１２がＯＮのままとなり、その結果、メータ１０からの接点信号の送信が継続される。
【００５３】
上記のような状況において、装置電源がリセットされると、上述したとおり、受信部２１は、接点状態記憶用メモリ２３に記憶する接点状態を、一度、「ＯＦＦ」にした後、メータ１０からの接点信号の受信を反映して、接点状態記憶用メモリ２３に記憶する接点状態を、「ＯＮ」にする。
【００５４】
しかしながら、本実施の形態１における計量装置２０では、上述のとおり、補助メモリ２５を備えて構成するとともにカウント部２２の動作を工夫しているので、カウント部２２によるカウントアップが実行されない。
【００５５】
すなわち、図２に示すように、カウント部２２は、接点状態記憶用メモリ２３に記憶されている接点状態が「ＯＦＦ」から「ＯＮ」へ変化したものの、補助メモリ２５に記憶されている接点状態が「ＯＮ」であるので、カウントアップを実行しない。
【００５６】
したがって、従来技術を適用した計量装置とは異なり、メータからの接点信号の送信が継続されるような状況において、装置電源がリセットされても、カウントアップが誤って実行されることがない。
【００５７】
なお、本実施の形態１では、１対１で対応する１台のメータ１０と１台の計量装置２０を備えて計量システムを構成する場合を例示したが、これに限定されず、１対１で対応する１台のメータ１０と１台の計量装置２０からなる組をＮ（Ｎは２以上の整数）組備えて計量システムを構成してもよい。
【００５８】
また、Ｎ台のメータ１０と１台の計量装置２０とを備えて計量システムを構成してもよい。この場合、計量装置２０は、メータ１０ごとにカウント値を管理可能なように構成される。
【００５９】
以上、本実施の形態１によれば、接点状態記憶用メモリに記憶されている接点状態が「ＯＦＦ」から「ＯＮ」へ変化した場合において、補助メモリに記憶されている接点状態が「ＯＦＦ」であるときに限り、カウント値記憶用メモリに記憶されているカウント値に対してカウントアップを実行するように構成されている。
【００６０】
これにより、メータからの接点信号の送信が継続されるような状況において、装置電源がリセットされても、カウントアップが実行されないので、使い勝手の改善を図ることができる。また、従来技術では、誤ったカウントアップが実行されることで得られるカウント値が誤っているのに伴って、メータの読み合わせ作業、メータのプリセット作業等の調整作業を行う必要があったのに対して、本発明では、正確なカウント値が得られるので、このような作業を省略することができる。
【符号の説明】
【００６１】
１０  メータ、１１  メータ本体、１２  スイッチ、２０  計量装置、２１  受信部、２２  カウント部、２３  接点状態記憶用メモリ、２４  カウント値記憶用メモリ、２５  補助メモリ。
【図１】
0006373305.tif 000002
【図２】
0006373305.tif 000003
【図３】
0006373305.tif 000004
【図４】
0006373305.tif 000005